(57)【要約】      （修正有）【課題】効率よく減温塔内部の付着灰を払い落とすことができる減温塔を提供する。【解決手段】天板１０を有するドラム２と、入口ダクト３と、上方に延在する出口ダクト第一部１１及び出口ダクト第一部１１の下流側に接続された出口ダクト第二部１３を有する出口ダクト４と、噴霧装置と、ドラム２に付着する付着灰を落下させる複数の灰落下機構６と、を備え、入口ダクト３と出口ダクト４は、入口ダクト３の軸線Ａ２と出口ダクト第二部１３の軸線Ａ３とのなす角が平面視して４５°以上１３５°以下となるように配置され、灰落下機構６は、円周Ｃ１上に周方向に等間隔に配置される複数の第一の灰落下機構６ａと、天板１０と側板８とを接続する境界線の近傍であって、且つ、天板１０を出口ダクト第二部１３の軸線Ａ３で二分割した二つの範囲のうち、入口ダクト３における排ガスＥの流れ方向の下流側の範囲の天板又は側板に配置される複数の第二の灰落下機構６ｂと、を備える。【選択図】図２
0003212708.tif 000002
【実用新案登録請求の範囲】
【請求項１】
円筒形状の側板と、前記側板の下端を閉じる底板と、前記側板の上端を閉じる天板と、を有するドラムと、
前記側板の下端に接続された入口ダクトと、
前記天板の中央部に接続されて上方に延在する出口ダクト第一部、前記出口ダクト第一部の下流側端部で水平方向に屈曲するベンド部、及び前記ベンド部の下流側に接続された出口ダクト第二部を有する出口ダクトと、
前記底板の中央部に設置され、上方に水を噴霧する噴霧装置と、
前記ドラムに付着する付着灰を落下させる複数の灰落下機構と、を備え、
前記入口ダクトと前記出口ダクトは、前記入口ダクトの軸線と前記出口ダクト第二部の軸線とのなす角が平面視して４５°以上１３５°以下となるように配置され、
前記複数の灰落下機構は、前記天板上で前記天板の中央部を中心とする円周上に周方向に配置される複数の第一の灰落下機構と、
前記天板と前記側板とを接続する境界線の近傍であって、且つ、平面視して前記天板を前記出口ダクト第二部の軸線で二分割した二つの範囲のうち、前記入口ダクトにおける排ガスの流れ方向の下流側の範囲の天板または側板に配置される複数の第二の灰落下機構と、を備えることを特徴とする減温塔。
【請求項２】
前記入口ダクトは、前記入口ダクトから導入される排ガスが前記ドラム内で旋回流となるように指向されていることを特徴とする請求項１に記載の減温塔。
【請求項３】
前記第一の灰落下機構は、エアノッカ、又はエアブラスタであることを特徴とする請求項１又は請求項２に記載の減温塔。
【請求項４】
前記第二の灰落下機構は、エアノッカ、エアブラスタ、又は開閉可能な部材であることを特徴とする請求項１から請求項３のいずれか一項に記載の減温塔。
【請求項５】
前記第二の灰落下機構はエアノッカであり、
前記境界線の近傍は、前記境界線が前記エアノッカの有効振動伝達距離内となる範囲であることを特徴とする請求項１から請求項４のいずれか一項に記載の減温塔。
【請求項６】
前記側板の所定高さの周方向に等間隔に設置されるエアノッカ又はエアブラスタからなる側板用灰落下機構をさらに備え、
前記第一の灰落下機構及び前記第二の灰落下機構は、前記側板用灰落下機構よりも短い周期で駆動されることを特徴とする請求項１乃至請求項３、または請求項５のいずれか一項に記載の減温塔。
【請求項７】
前記入口ダクトと前記出口ダクトは、前記入口ダクトの軸線と前記出口ダクト第二部の軸線とのなす角が平面視して９０°となるように配置されていることを特徴とする請求項１から請求項６のいずれか一項に記載の減温塔。
【考案の詳細な説明】
【技術分野】
【０００１】
本考案は、減温塔に関する。
【背景技術】
【０００２】
ストーカ炉等の焼却炉から排出される排ガス中には、ＨＣｌ（塩化水素、塩酸）、ＳＯｘ（硫黄酸化物）などの酸性ガス、ＮＯｘ、ダイオキシン類、煤塵などの有害物質が含まれている。これらの有害物質を除去するために、焼却炉の出口側には排ガス処理装置が設けられている。
排ガス処理装置は、煤塵を集塵するバグフィルタ等の集塵装置と、バグフィルタの上流側に設けられ、バグフィルタの許容温度まで排ガスの温度を低下させる減温塔と、を有している。
【０００３】
特許文献１には、減温塔の内部に付着する付着灰（飛灰）を払い落とすためにエアノッカ等の灰落下機構を備える減温塔が記載されている。エアノッカは、減温塔を構成するドラムの外筒に配置されている。
【先行技術文献】
【特許文献】
【０００４】
【特許文献１】特開２００３−６５５３１号公報
【考案の概要】
【考案が解決しようとする課題】
【０００５】
ところで、上記従来の減温塔では、エアノッカが配置してある箇所では、付着灰が払い落とされる。しかしながら、エアノッカからある程度離れた箇所においては付着灰の払い落としが不十分となる。これは、減温塔の素材や減温塔に配置される断熱材の厚み等の影響により、エアノッカを中心として、エアノッカの与える振動が付着灰を払い落とすのに効果的な範囲があることを意味する。エアノッカの数を増やして、当該効果的な範囲が減温塔のドラムの外筒の全てを切れ目なくカバーするよう均等配置（大仏の螺髪のように配置）すれと、非常に製品コストが高くなる。
【０００６】
この考案は、製品コストを増大させることなく、効率よく減温塔内部の付着灰を払い落とすことができる減温塔を提供することを目的とする。
【課題を解決するための手段】
【０００７】
本考案の第一の態様によれば、減温塔は、円筒形状の側板と、前記側板の下端を閉じる底板と、前記側板の上端を閉じる天板と、を有するドラムと、前記側板の下端に接続された入口ダクトと、前記天板の中央部に接続されて上方に延在する出口ダクト第一部、前記出口ダクト第一部の下流側端部で水平方向に屈曲するベンド部、及び前記ベンド部の下流側に接続された出口ダクト第二部を有する出口ダクトと、前記底板の中央部に設置され、上方に水を噴霧する噴霧装置と、前記ドラムに付着する付着灰を落下させる複数の灰落下機構と、を備え、前記入口ダクトと前記出口ダクトは、前記入口ダクトの軸線と前記出口ダクト第二部の軸線とのなす角が平面視して４５°以上１３５°以下となるように配置され、前記複数の灰落下機構は、前記天板上で前記天板の中央部を中心とする円周上に周方向に配置される複数の第一の灰落下機構と、前記天板と前記側板とを接続する境界線の近傍であって、且つ、平面視して前記天板を前記出口ダクト第二部の軸線で二分割した二つの範囲のうち、前記入口ダクトにおける排ガスの流れ方向の下流側の範囲の天板または側板に配置される複数の第二の灰落下機構と、を備える。
【０００８】
このような構成によれば、灰落下機構が均等配置ではなく、平面視して天板を出口ダクト第二部の軸線で二分割した二つの範囲のうち、入口ダクトから導入される排ガスの流れ方向の下流側の範囲、すなわち付着灰が偏って付着することを考案者が見出した特定の範囲に選択的に配置される。従ってこの特定の範囲の付着灰を効果的に払い落とすことができる。また、大仏の螺髪のように灰落下機構の数をむやみに増やすことがないため、製品コストをむやみに増大させない。
【０００９】
上記減温塔において、前記入口ダクトは、前記入口ダクトから導入される排ガスが前記ドラム内で旋回流となるように指向されてよい。
【００１０】
このような構成によれば、排ガスが旋回しつつ上昇するため、噴霧装置による水と排ガスの混合を促進させ効果的に排ガスを減温することができる。
【００１１】
上記減温塔において、前記第一の灰落下機構は、エアノッカ、又はエアブラスタであってよい。
【００１２】
このような構成によれば、ドラムの外側から複数の箇所に容易に灰落下機構を取り付けることができる。また、圧縮空気を利用するため、ドラムの壁面に大きな衝撃を与えることができる。
【００１３】
上記減温塔において、前記第二の灰落下機構は、エアノッカ、エアブラスタ、又は開閉可能な部材であってよい。
【００１４】
このような構成によれば、第二の灰落下機構として、開閉可能な部材を採用した場合は、作業者が定期的に部材を開けて部材自体を掃除するので、ドラムの内部の他の箇所と比較して滑らかである。このため、付着灰が付着しにくく、付着灰が付着した場合においても自然に落下する。
【００１５】
上記減温塔において、前記第二の灰落下機構はエアノッカであり、前記境界線の近傍は、前記境界線が前記エアノッカの有効振動伝達距離内となる範囲であってよい。
【００１６】
このような構成によれば、付着灰が最も固着しやすい端部に直接振動を与えることができ、より効果的に付着灰を落下させることができる。
【００１７】
上記減温塔において、前記側板の所定高さの周方向に等間隔に設置されるエアノッカ又はエアブラスタからなる側板用灰落下機構をさらに備え、前記第一の灰落下機構及び前記第二の灰落下機構は、前記側板用灰落下機構よりも短い周期で駆動されてよい。
【００１８】
このような構成によれば、付着灰が付着しやすい箇所に配置されている灰落下機構をより短い周期で駆動することによって、付着灰の付着を抑制することができる。
【００１９】
上記減温塔において、前記入口ダクトと前記出口ダクトは、前記入口ダクトの軸線と前記出口ダクト第二部の軸線とのなす角が平面視して９０°となるように配置されてよい。
【考案の効果】
【００２０】
本考案によれば、考案者らが、付着灰が選択的に偏って付着することを見出した特定の範囲、すなわち付着灰がドラムに均等ではなく、平面視して天板を出口ダクト第二部の軸線で二分割した二つの範囲のうち、入口ダクトから導入される排ガスの流れ方向の下流側の範囲（当該範囲の天板、当該範囲の天板と側板の境界線の近傍（側板含む））の付着灰を効果的に払い落とすことができる。また、灰落下機構を増やして均等配置する場合に比べ、製品コストを増大させることなく、効率よく減温塔内部の付着灰を払い落とすことができる。
【図面の簡単な説明】
【００２１】
【図１】本考案の第一実施形態の減温塔の側面図である。
【図２】図１のＩＩ矢視図であり、本考案の第一実施形態の減温塔の平面図である。
【図３】図１のＩＩＩ−ＩＩＩ断面図であり、本考案の第一実施形態の減温塔の断面図である。
【図４】本考案の第一実施形態の減温塔の天板に付着する付着灰の付着箇所を説明する図である。
【図５】本考案の第一実施形態の変形例の減温塔の側面図である。
【図６】本考案の第二実施形態の説明図であって本考案の第一実施形態の図２に相当する説明図である。
【考案を実施するための形態】
【００２２】
〔第一実施形態〕
以下、本考案の第一実施形態の減温塔について図面を参照して詳細に説明する。
本実施形態の減温塔は、ストーカ炉等の焼却炉から排出される排ガスに含まれる塩化水素や硫黄酸化物などの有害物質を除去する排ガス処理装置に設けられる。減温塔は、例えば、煤塵を集塵するバグフィルタなどの集塵装置の上流側に設けられて、排ガス温度を低下させるとともに、排ガスを加湿する。
【００２３】
図１及び図２に示すように、減温塔１は、ドラム２と、ドラム２内に排ガスＥを導入する入口ダクト３と、ドラム２から排ガスＥを排出する出口ダクト４と、ドラム２内に水を噴霧する噴霧装置５と、ドラム２に付着する付着灰を落下させる複数のエアノッカ６と、を備えている。
入口ダクト３の上流側には、例えば、焼却炉のボイラが接続されている。出口ダクト４の下流側には、例えば、煤塵を集塵するバグフィルタなどの集塵装置が接続されている。
【００２４】
ドラム２は、略円筒形状の側板８と、側板８の下端を閉じる底板９と、側板８の上端を閉じる天板１０と、を有している。ドラム２は、側板８の軸線Ａ１が上下方向に延在するように配置されている。底板９は円板状をなしている。底板９の円周は、側板８の下端に接続されている。底板９はドラム２の直径よりも小さい場合もあり、このため側板８の下端はテーパ状に絞られた構造や、テーパ状に続いて径の小さい円筒の構造となる場合もある。天板１０は円錐面状をなしている。天板１０の円周は、側板８の上端に接続され、天板１０と側板８とを接続する境界線と合致している。天板１０は、円板状であってもよい。
【００２５】
入口ダクト３は、側板８の下端に接続されている。入口ダクト３は、導入される排ガスＥがドラム２の底板９に沿って流れるように配置されている。
図３に示すように、入口ダクト３は、入口ダクト３の軸線Ａ２（ドラム２との接続部における軸線）が水平方向に沿い、且つ、導入される排ガスＥがドラム２の側板８に沿って旋回するように配置されている。即ち、入口ダクト３は、ドラム２との接続部において、入口ダクト３の軸線Ａ２がドラム２の外周面（側板８）の接線方向に沿うように配置されている。入口ダクト３は、入口ダクト３の軸線Ａ２とドラム２の軸線Ａ１とが、ねじれの位置となるように配置されている。
【００２６】
出口ダクト４は、天板１０の中央部（天板１０の頂部）に接続されている。出口ダクト４は、上方に延在する出口ダクト第一部１１と、出口ダクト第一部１１の下流側端部（上端）で水平方向に屈曲するベンド部１２と、ベンド部１２の下流側端部に接続された出口ダクト第二部１３と、を有している。出口ダクト第一部１１とドラム２とは同軸状に配置されている。出口ダクト４は、約９０°で折れ曲がる形状（くの字形状）である。
なお、出口ダクト第二部１３は水平面に平行である必要はなく、水平面に対して、例えば、−３０°から＋３０°の角度を有してもよい。
【００２７】
入口ダクト３と出口ダクト４は、入口ダクト３の軸線Ａ２と出口ダクト第二部１３の軸線Ａ３とのなす角θが平面視して９０°となるように配置されている。
なお、入口ダクト３の軸線Ａ２と出口ダクト第二部１３の軸線Ａ３とのなす角θは平面視して９０°に限ることはなく、４５°以上１３５°以下の範囲とすればよい。即ち、入口ダクト３の軸線Ａ２と出口ダクト第二部１３の軸線Ａ３とのなす角は、減温塔１のレイアウトなどに応じて適宜変更することができる。
【００２８】
噴霧装置５は、底板９の中心に配置されている。噴霧装置５は、図示しない水供給装置と接続されており、水供給装置から供給される水（減温水）を噴霧する。
噴霧装置５は、円筒形状の噴霧装置本体１５と、噴霧装置本体１５の上端に設けられている噴霧ノズル１６と、を有している。噴霧装置本体１５の軸線は、上下方向に延在している。ドラム２と噴霧装置本体１５とは、同軸状に配置されている。噴霧ノズル１６は、上方に水を噴霧するように指向されている。
【００２９】
エアノッカ６は、ドラム２に付着する付着灰を落下させる灰落下機構である。複数のエアノッカ６は、天板１０の上面と、側板８の外面とに取り付けられている。エアノッカ６は、ドラム２の壁面を叩いてドラム２に振動を付与する。エアノッカ６としては、例えばピストン（打撃部材）とシリンダとを有するものを採用することができる。エアノッカ６は、圧縮空気でピストンを押圧することにより対象物に振動を加える構造を有している。
【００３０】
灰落下機構としては、エアノッカ６に限ることなく、ドラム２の壁面に振動を加える構造を有する物を採用することができる。例えば、灰落下機構として、エアブラスタを採用することができる。エアブラスタは、シリンダの先端からドラム２の壁面に向かって圧縮空気を噴出させて、ドラム２に振動を加える。
【００３１】
本実施形態の減温塔１は、天板１０に配置されている４個の第一エアノッカ６ａと、天板１０に配置されている３個の第二エアノッカ６ｂと、側板８に配置されている４個の第三エアノッカ６ｃ（側板用灰落下機構）と、を有している。第一エアノッカ６ａ、第二エアノッカ６ｂ、及び第三エアノッカ６ｃの構造は略同一である。
図２に示すように、４個の第一エアノッカ６ａは、天板１０の上面であって、天板１０の中央部を中心とする円周Ｃ１上に、周方向に等間隔で配置されている。円周Ｃ１の直径は、例えば、ドラム２の外径の１／２から３／５に設定することができる。
【００３２】
４個の第三エアノッカ６ｃは、側板８の外周面に配置されている。第三エアノッカ６ｃの底板９からの高さは、側板８の高さの１／４から３／４に設定することができる。４個の第三エアノッカ６ｃは、周方向に等間隔で配置されている。
【００３３】
３個の第二エアノッカ６ｂは、天板１０の上面であって、天板１０と側板８とを接続する境界線の近傍に配置されている。減温塔の素材や減温塔に配置される断熱材の厚み等の影響により、エアノッカを中心として、エアノッカの与える振動が付着灰を払い落とすのに効果的な範囲（エアノッカを中心とし、半径が有効振動伝達距離Ｌの円内にある範囲）があるので、第二エアノッカ６ｂと上記境界線との距離が、第二エアノッカ６ｂの有効振動伝達距離Ｌ以下となる範囲に設定されると、考案者らが見出した特定の範囲（後述）の付着灰を効果的に払い落とすことができる。
【００３４】
考案者らは、上記したドラム２と、入口ダクト３と、出口ダクト４と、噴霧装置５と、を備える減温塔１において、付着灰がドラム２に均等ではなく、入口ダクト３と出口ダクト４との位置関係に対応した特定の範囲に主に付着することを見出した。
【００３５】
運転条件（排ガスの温度、噴霧装置５から噴霧される水の噴霧量、排ガスの圧力）によってもドラム２における付着灰の付着状況は変わるが、図４に示すように、平面視して（上方から見て）天板１０を出口ダクト第二部１３の軸線Ａ３で二分割した二つの範囲Ｐ１、Ｐ２のうち、入口ダクト３における排ガスＥの流れ方向の下流側の範囲Ｐ２であって、且つ、天板１０から上記境界線の近傍の側板８に跨って、付着灰Ａｓが偏って付着することを確認した。なお、当該境界線の近傍の側板８で付着灰Ａｓが付着する位置は、側板８の高さの３/４より高い位置である。
換言すれば、平面視して天板１０を出口ダクト第二部１３の軸線Ａ３で二分割した二つの範囲Ｐ１、Ｐ２のうち、平面視して入口ダクト３が接続されていない方の範囲Ｐ２に、付着灰Ａｓが偏って付着することを確認した。
【００３６】
そこで、上記した二つの範囲Ｐ１、Ｐ２のうち、付着灰Ａｓが偏って付着する範囲Ｐ２に第二エアノッカ６ｂを偏在させた。
具体的には、第二エアノッカ６ｂは、入口ダクト３における排ガスＥの流れ方向の下流側の範囲Ｐ２のうち、平面視して、軸線Ａ１を中心に出口ダクト第二部１３の延在方向から排ガスの旋回方向に向かって９０°以上となる側に配置されている。
【００３７】
第一エアノッカ６ａ及び第二エアノッカ６ｂは、第三エアノッカ６ｃよりも短い周期で駆動されている。上述のとおり、付着灰Ａｓは考案者らが見出した特定の範囲に偏って付着するので、当該特定の範囲でない位置に設置される第三エアノッカ６ｃは、第一エアノッカ６ａ及び第二エアノッカ６ｂよりも、付着灰の払い落としの観点から動作頻度を少なくしてかまわず、また、その方が経済的であるからである。
【００３８】
次に、本実施形態の減温塔１の動作について説明する。
入口ダクト３から導入された排ガスＥは、ドラム２内を旋回しながら上昇する。排ガスＥの温度は、噴霧装置５から噴霧される水によって低下する。排ガスＥは、旋回しながら出口ダクト４に導入されて、ドラム２の外部に排出される。一方で、排ガスＥの一部は、ドラム２の内部に付着灰として付着する。
【００３９】
付着灰のうち、側板８に付着した付着灰は、第三エアノッカ６ｃによって払い落とされる。付着灰のうち、天板１０及び上記境界線の近傍（天板及び側板）に付着した付着灰は、第一エアノッカ６ａ及び第二エアノッカ６ｂによって払い落とされる。
【００４０】
上記実施形態によれば、エアノッカ６が天板１０に均等ではなく、範囲Ｐ２に偏って配置されている。平面視して天板１０を出口ダクト第二部１３の軸線Ａ３で二分割した二つの範囲Ｐ１、Ｐ２のうち、入口ダクト３における排ガスＥの流れ方向の下流側の範囲Ｐ２に付着灰が選択的に付着するので、効果的に付着灰を払い落とすことができる。また、大仏の螺髪のように均等配置する場合に比べ、エアノッカ６の数を減らすことができ、製品コストを増大させることなく、効率よく減温塔１内部の付着灰を払い落とすことができる。
【００４１】
また、入口ダクト３が導入される排ガスＥがドラム２内で旋回流となるように指向されていることにより、排ガスＥが旋回しつつ上昇するため、噴霧装置５による水と排ガスＥの混合を促進させ、効果的に減温させることができる。
【００４２】
また、灰落下機構として、エアノッカ６又はエアブラスタを採用することによって、ドラム２の外側からドラム２の複数の箇所に容易に灰落下機構を取り付けることができる。また、圧縮空気を利用するため、ドラム２の壁面に大きな衝撃を与えることができる。
【００４３】
なお、図１及び図２では、第２エアノッカ６ｂは天板１０に配置した。しかし、考案者の見出した付着灰が偏って付着する特定の範囲は、範囲Ｐ２であって、且つ、天板１０から上記境界線の近傍の側板８に跨った範囲であるので、図５に示す第一実施形態の変形例のように、第２エアノッカ６ｂを側板８に配置してもよい。この場合においても、第二エアノッカ６ｂと上記境界線との距離が、第二エアノッカ６ｂの有効振動伝達距離Ｌ以下となる範囲に設定されると、考案者らが見出した特定の範囲の付着灰を効果的に払い落とすことができる。
また、上記特定の範囲において、付着灰は、上記境界線に境目又は割れ目がある場合があるので、第一実施形態の減温塔および第一実施形態の変形例の減温塔において、第２エアノッカ６ｂを上記境界線に接して配置させると、さらに効果的に付着灰を払い落とすことができる。
【００４４】
〔第二実施形態〕
以下、本考案の第二実施形態の減温塔について図面を参照して詳細に説明する。なお、本実施形態では、上述した第一実施形態との相違点を中心に述べ、同様の部分についてはその説明を省略する。
図６は、本考案の第二実施形態の説明図であって本考案の第一実施形態の図２に相当する説明図である。図６に示すように、本実施形態の減温塔１は、第二エアノッカ６ｂの代替として、マンホール１７（蓋、又は扉）を有している。マンホール１７は、開閉可能な部材である。マンホール１７は、マンホール１７のドラム２の内部を向く内面が天板１０の内面と面一となるように形成されている。
即ち、マンホール１７は、マンホール１７の内面がドラム２の壁面の一部となるように形成されている。
【００４５】
マンホール１７の内面は、マンホール１７の内面を滑らかにするために、耐熱性の塗料によって塗装されている。なお、マンホール１７の内面が滑らかであれば、耐熱性の塗料を塗装しなくてもよい。
【００４６】
上記実施形態によれば、作業者は、定期的にマンホール１７を開けてマンホール１７自体を掃除するので、ドラム２の内部の他の箇所と比較して滑らかである。このため、付着灰が付着しにくく、付着灰が付着した場合においても自然に落下する。
【００４７】
以上、本考案の実施の形態について図面を参照して詳述したが、具体的な構成はこの実施の形態に限られるものではなく、本考案の要旨を逸脱しない範囲の設計変更等も含まれる。
なお、上記実施形態では、ドラム２の側板８に第三エアノッカ６ｃを配置する構成としたが、これに限ることはなく、第三エアノッカ６ｃを配置しない構成としてもよい。
また、エアノッカ６の個数も上記した個数に限ることはなく、減温塔１の大きさなどに応じて適宜変更してよい。
【符号の説明】
【００４８】
１  減温塔
２  ドラム
３  入口ダクト
４  出口ダクト
５  噴霧装置
６  エアノッカ
６ａ  第一エアノッカ
６ｂ  第二エアノッカ
６ｃ  第三エアノッカ
８  側板
９  底板
１０  天板
１１  出口ダクト第一部
１２  ベンド部
１３  出口ダクト第二部
１５  噴霧装置本体
１６  噴霧ノズル
１７  マンホール
Ａ１，Ａ２，Ａ３  軸線
Ａｓ  付着灰
Ｃ１  円周
Ｅ  排ガス
Ｌ  第二エアノッカの有効振動伝達距離
【図１】
0003212708.tif 000003
【図２】
0003212708.tif 000004
【図３】
0003212708.tif 000005
【図４】
0003212708.tif 000006
【図５】
0003212708.tif 000007
【図６】
0003212708.tif 000008